(57)【要約】【課題】デジタル放送信号の系統切替を送出信号に乱れを生じさせることなくスムーズに行うことが可能なデジタル放送信号系統切替装置を提供する。【解決手段】系統選択信号が制御回路３００に入力された場合に、まず１系及び２系のうち待機状態にある系の送信装置を駆動し、位相差検出回路２０８にてこれら両系の信号間の位相差を検出し、制御回路３００にてこの検出結果に基づいて、送出状態にある系統の信号を基準に待機状態にある系統の信号の位相を合わせるように全角連続移相回路１１１，１２１の移相量を制御し、しかる後にシームレス切替回路２００の移相器２０５，２０６を制御して送出系から待機系に切り替えるようにしている。【選択図】      図１
2005277475.tif 000002
【特許請求の範囲】
【請求項１】
第１及び第２系統のデジタル放送信号を、系統切替信号に応じて選択的に切り替えて送出するデジタル放送信号系統切替装置であって、
前記第１系統に設けられ、該第１系統を伝送すべくデジタル放送信号を送信周波数に変換する第１の送信手段、及び前記第２系統に設けられ、該第２系統を伝送すべくデジタル放送信号を前記送信周波数に変換する第２の送信手段と、
移相量を任意に設定可能で、前記第１の送信手段に入力すべくデジタル放送信号を設定された移相量だけ移相する第１の移相手段、及び前記第２の送信手段に入力すべくデジタル放送信号を与えられた移相量だけ移相する第２の移相手段と、
前記第１の送信手段の出力及び前記第２の送信手段の出力のいずれか一方を送出信号として選択的に導出する切替手段と、
前記第１及び第２系統の両信号間の位相差を検出する位相差検出手段と、
前記系統切替信号が入力されたとき、前記第１及び第２の送信手段のうち待機状態にある系統の送信手段の処理を実行させ、前記位相差検出手段による検出結果に基づいて、前記第１及び第２系統の両信号間の位相が一致するように前記第１及び第２の移相手段それぞれの移相量を制御した後に、前記切替手段を送出系統から待機系統に切替制御する制御手段とを具備したことを特徴とするデジタル放送信号系統切替装置。
【請求項２】
前記第１及び第２の移相手段は、入力信号に対し４象限で連続的に位相変化を与えるエンドレス型移相器であり、
前記制御手段は、前記位相差検出手段により検出される位相差に応じて、前記エンドレス型移相器に対し位相変化方向となる位相回転方向を決定することを特徴とする請求項１記載のデジタル放送信号系統切替装置。
【請求項３】
前記制御手段は、前記位相差検出手段による検出結果から、位相差がしきい値以下である場合に、前記第１及び第２の移相手段に対する移相量の制御を停止することを特徴とする請求項１記載のデジタル放送信号系統切替装置。
【請求項４】
前記制御手段は、前記系統切替信号が入力されたとき、予め設定される所定の条件に従って前記切替手段に切り替えを実行させ、切替完了時に、切替前に送出中であった系統を待機系統としてその系統の送信手段に対し停止制御を行うことを特徴とする請求項１記載のデジタル放送信号系統切替装置。
【請求項５】
前記第１及び第２の送信手段は、送信出力レベルを監視する出力監視手段を備え、
前記制御手段は、所定の条件の判断に、前記第１及び第２の送信手段それぞれの送信出力レベルの監視結果を用いることを特徴とする請求項４記載のデジタル放送信号系統切替装置。
【請求項６】
前記制御手段は、前記位相差検出手段による検出結果から位相同期状態を監視する位相同期監視手段を備え、所定の条件の判断に、前記位相同期状態の監視結果を用いることを特徴とする請求項４記載のデジタル放送信号系統切替装置。
【請求項７】
前記第１及び第２の送信手段は、それぞれ自系統の障害を検出する障害検出手段を備え、
前記制御手段は、前記障害検出手段により送出中の系統に障害が検出された場合に、前記送出系統から待機系統に切り替えるように前記切替手段を制御することを特徴とする請求項１記載のデジタル放送信号系統切替装置。
【発明の詳細な説明】
【技術分野】
【０００１】
この発明は、現用・予備の二重化構造を有するデジタル放送送出システムに係り、特に現用・予備の切替制御を行なうデジタル放送信号系統切替装置に関する。
【背景技術】
【０００２】
近年、デジタル放送技術の確立に伴い、通信衛星や放送衛星を使用する衛星放送システムではデジタル放送が普及し、さらに地上波放送システムにおいてもデジタル放送が開始されている。  
地上波放送システムの放送送出設備にあっても、アナログ放送で実施されているように、機器の故障及び保守のために、現用・予備の二重化構成とするが考えられている。
現行のアナログ放送システムの放送送出設備では、現用系から予備系に切り替える場合に、切替時に送出信号に対して切り替えの影響を全く与えないようにするために、移相器を用いた切替装置を用いるようにしている（例えば、特許文献１）。
【０００３】
このような切替装置にあっては、同一周波数かつ同一波形の二系統の信号を切替前と切替後とで連続させるためには、各系統の信号の遅延量と信号レベルを同一とし、信号間の位相関係を管理する必要がある。この場合、二系統の同一の信号を受けて、各々独立した送信装置で周波数変換、電力増幅といった処理を行う場合、全く同一構成のハードウエアの場合には遅延の問題はほとんど無く、出力レベルに関してもＡＬＣ機能によって系毎の実現が可能である。
一方、周波数についても、系毎に独立したローカル発信器を備える場合についても、同一の外部基準信号源により制御することによって同一周波数を維持することが可能である。
【０００４】
【特許文献１】特開２００２−１５１９０３号公報。
【発明の開示】
【発明が解決しようとする課題】
【０００５】
ところが、系統間の位相関係については、温度変動、接続ケーブルの変更、経年変化によって変動する可能性が十分あり、上記移相器を用いた切替装置の場合では位相関係が設計値と異なる関係になると切替時に出力のレベル変動を生じる問題があった。
さらに、上記切替装置では、同軸スイッチと比較すると系統間のアイソレーション、つまり選択しない側からの信号の伝達の阻止能力が低く、特にＳＨＦ帯での応用においては、十分なアイソレーションが得られないという問題があった。
【０００６】
そのため、切替装置の入力側に信号を遮断するスイッチ回路を設ける、あるいは、予備側、つまり待機側の出力を停止させる方法が考えられるが、上記スイッチオフ時においては、片系の信号が存在しなくて、系統間位相監視ができない問題があった。
そこで、この発明の目的は、デジタル放送信号の系統切替を送出信号に乱れを生じさせることなくスムーズに行うことが可能なデジタル放送信号系統切替装置を提供することにある。
【課題を解決するための手段】
【０００７】
この発明は、上記目的を達成するために、以下のように構成される。  
第１及び第２系統のデジタル放送信号を、系統切替信号に応じて選択的に切り替えて送出するデジタル放送信号系統切替装置であって、第１系統に設けられ、該第１系統を伝送すべくデジタル放送信号を送信周波数に変換する第１の送信手段、及び第２系統に設けられ、該第２系統を伝送すべくデジタル放送信号を送信周波数に変換する第２の送信手段と、移相量を任意に設定可能で、第１の送信手段に入力すべくデジタル放送信号を設定された移相量だけ移相する第１の移相手段、及び第２の送信手段に入力すべくデジタル放送信号を与えられた移相量だけ移相する第２の移相手段と、第１の送信手段の出力及び第２の送信手段の出力のいずれか一方を送出信号として選択的に導出する切替手段と、第１及び第２系統の両信号間の位相差を検出する位相差検出手段と、系統切替信号が入力されたとき、第１及び第２の送信手段のうち待機状態にある系統の送信手段の処理を実行させ、位相差検出手段による検出結果に基づいて、第１及び第２系統の両信号間の位相が一致するように第１及び第２の移相手段それぞれの移相量を制御した後に、切替手段を送出系統から待機系統に切替制御する制御手段とを備えるようにしたものである。
【０００８】
この構成によれば、系統切替信号が入力された場合に、まず第１及び第２系統のうち待機状態にある系統の送信機が駆動され、これら両系統の信号間の位相差が検出され、この検出結果に基づいて、送出状態にある系統の信号を基準に待機状態にある系統の信号の位相が合わせられ、しかる後に送出系統から待機系統に切り替えられる。従って、デジタル放送信号の系統切替を送出信号に乱れを生じさせることなくスムーズに行うことができ、しかも切替出力の信号品質を良好に維持することができる。
【０００９】
第１及び第２の移相手段は、入力信号に対し４象限で連続的に位相変化を与えるエンドレス型移相器であり、制御手段は、位相差検出手段により検出される位相差に応じて、エンドレス型移相器に対し位相変化方向となる位相回転方向を決定することを特徴とする。
この構成によれば、エンドレス型移相器を用いることで、検出された位相差が４象限のうちどの象限に該当するかを判定し、この判定結果に基づいて位相回転方向を決定するようにしている。従って、象限ごとに適切な位相合わせを行なうことができ、これにより位相制御処理を短時間で完了することができる。
【００１０】
制御手段は、位相差検出手段による検出結果から、位相差がしきい値以下である場合に、第１及び第２の移相手段に対する移相量の制御を停止することを特徴とする。  
この構成によれば、位相差がしきい値以下である場合には、位相誤差が許容範囲内であるので、第１系統及び第２系統の信号間の位相合わせを行なうまでもなく、各系統の移相器に対する移相量の制御を停止するようにしている。このため、不要な位相合わせを防止することができ、これにより短時間で切替処理を完了することができる。
【００１１】
制御手段は、系統切替信号が入力されたとき、予め設定される所定の条件に従って切替手段に切り替えを実行させ、切替完了時に、切替前に送出中であった系統を待機系統としてその系統の送信手段に対し停止制御を行うことを特徴とする。なお、所定の条件の判断に、第１の送信手段及び第２の送信手段それぞれの送信出力レベルの監視結果、位相同期状態の監視結果が用いられる。  
この構成によれば、系統切替信号が入力されたときに、各系統の送信出力レベルが規定値以上であるか否かまたは系統間で位相同期がとれているか否かを確認した上で、系統切替を行なうようにしているので、切替処理上の信頼性をさらに高めることができる。
【００１２】
第１及び第２の送信手段は、それぞれ自系統の障害を検出する障害検出手段を備え、制御手段は、障害検出手段により送出中の系統に障害が検出された場合に、送出系統から待機系統に切り替えるように切替手段を制御することを特徴とする。  
この構成によれば、送出系統で障害が発生した場合に、自動的に正常な系統へ切り替わり、これにより送出信号を継続して出力することができる。
【発明の効果】
【００１３】
以上詳述したようにこの発明によれば、デジタル放送信号の系統切替を送出信号に乱れを生じさせることなくスムーズに行うことが可能なデジタル放送信号系統切替装置を提供することができる。
【発明を実施するための最良の形態】
【００１４】
以下、この発明の実施形態について図面を参照して詳細に説明する。  
（第１の実施形態）  
図１は、この発明の第１の実施形態としての無停波切替による系統切替冗長システムを示すブロック図である。
図１において、全角連続移相回路１１１、周波数変換回路１１２および電力増幅回路１１３は１系の送信装置の一部を、全角連続移相回路１２１、周波数変換回路１２２および電力増幅回路１２３は２系の送信装置の一部を構成する。符号２００はシームレス切替回路であり、３００は１系および２系共通の制御回路である。
【００１５】
中間周波信号入力端子１１には、図示しない前段からの１系の中間周波信号（以下、ＩＦ信号と称する）が入力され、全角連続移相回路１１１を介して周波数変換回路１１２に入力される。周波数変換回路１１２は、入力されたＩＦ信号に対し基準入力端子１２に入力された図示しない基準信号源からの信号を乗算することで、無線周波信号（以下、ＲＦ信号と称する）に変換する。ＲＦ信号は、電力増幅回路１１３で電力増幅されてシームレス切替回路２００に供給される。
【００１６】
同様に、中間周波信号入力端子２１には、図示しない前段からの２系のＩＦ信号が入力され、全角連続移相回路１２１を介して周波数変換回路１２２に入力される。周波数変換回路１２２は、入力されたＩＦ信号に対し基準入力端子２２に入力された図示しない基準信号源からの信号を乗算することで、ＲＦ信号に変換する。ＲＦ信号は、電力増幅回路１２３で電力増幅されてシームレス切替回路２００に供給される。
【００１７】
シームレス切替回路２００は、１系および２系の入力信号を受けて、その一方の信号を図示しないアンテナへの出力端子３１へ、もう一方の信号をダミーロード端子３２へ出力する構成であって、１系入力は方向性結合器２０１を介して第１の３ｄＢハイブリイド回路２０２の入力端子に接続され、２系入力は方向性結合器２０３を介して同じ第１の３ｄＢハイブリイド回路２０２のもう一方の入力端子に接続される。
【００１８】
一方、アンテナへの出力端子３１およびダミーロード端子３２は第２の３ｄＢハイブリイド回路２０４の二つの出力端子に接続される。前述の第１の３ｄＢハイブリイド回路２０２の二つの出力端子と前述の第２の３ｄＢハイブリイド回路２０４の二つの入力端子の間には各々移相器２０５，２０６が介挿接続されており、これら各々移相器２０５，２０６の移相量を変化させることにより、系統切替を行なえるようになっている。
【００１９】
この移相器２０５，２０６は、回路中に設けられた誘電体を機械的に変位させることにより移相量を可変するもので、駆動部２０７はその誘電体の位置を機械的に移動させる電動駆動機構である。
方向性結合器２０１，２０３の結合出力は、それぞれ位相差検出回路２０８に供給される。位相差検出回路２０８は、１系、２系それぞれのＲＦ信号の相互相関をとり、信号間の位相差を検出し、この検出結果を位相差情報Ｉ１として制御回路３００に出力する。
【００２０】
制御回路３００には、駆動部２０７からの切替完了信号Ｉ３が入力される。駆動部２０７には、制御回路３００からの切替制御信号Ｉ２が与えられる。
制御回路３００は、全角連続移相回路１１１，１２１に対し、系統間位相誤差情報Ｉ４，Ｉ８および待機モード制御信号Ｉ５，Ｉ９を出力する。また、制御回路３００は、電力増幅回路１１３，１２３に対し、停止制御信号Ｉ６，Ｉ１０を出力し、電力増幅回路１１３，１２３から出力監視信号Ｉ７，Ｉ１１を入力する。
【００２１】
図２は、上記制御回路３００の具体的構成を示す回路図である。  
図２において、上記位相差情報Ｉ１は、ＬＰＦ３０１を介して直流増幅器３０２に入力される。直流増幅器３０２は正極性および負極性の出力を各々系統間位相誤差情報Ｉ４，Ｉ８として全角連続移相回路１１１，１２１に出力する。同時に、ＬＰＦ３０１の出力は、位相同期監視回路３０３に供給される。すると、位相同期監視回路３０３は、位相同期状態情報Ｓ１を切替シーケンス回路３０４に出力する。
【００２２】
切替シーケンス回路３０４には、端子３０５を介して系統選択信号である１系選択信号Ｐ１が与えられ、端子３０６を介して２系選択信号Ｐ２が与えられる。１系選択信号Ｐ１及び２系選択信号Ｐ２は、図示しない操作スイッチ、図示しない自動制御回路信号あるいは図示しないリモコン信号に基づいて発生されるものである。
【００２３】
また、切替シーケンス回路３０４には、切替完了信号Ｉ３及び出力監視信号Ｉ７，Ｉ１１が供給される。
切替シーケンス回路３０４は、受けた信号とシーケンス論理に基づいて、切替制御信号Ｉ２、待機モード制御信号Ｉ５，Ｉ９および停止制御信号Ｉ６，Ｉ１０を出力する。
【００２４】
上記全角連続移相回路１１１，１２１は、具体的に図３に示すようなエンドレス型移相器として構成される。ここでは、全角連続移相回路１１１を代表して説明する。図３において、信号入力端子４０１からの信号は９０度分配器４０２に供給される。この９０度分配器４０２は、入力した信号を９０°位相シフトすることで、互いに直交する２つの周波数信号ｓｉｎωｏｔ、ｃｏｓωｏｔを生成するもので、各周波数信号ｓｉｎωｏｔ、ｃｏｓωｏｔはそれぞれ電圧制御可変減衰器４０３，４０４を介して合成回路４０５に供給される。
【００２５】
合成回路４０５は、入力された周波数信号ｓｉｎωｏｔ、ｃｏｓωｏｔを加算し、この加算結果を出力端子４０６を介して出力する。
また、移相量の制御情報は系統間位相誤差情報端子４０７を介して入力される。この制御情報は、電圧コンパレータ４０８，４０９にそれぞれ供給される。電圧コンパレータ４０８は、入力信号から所定しきい値Ｔｈ１以上の正極性の信号レベルを検出し、この検出結果をアップダウンカウンタ４１０に出力する。また、電圧コンパレータ４０９は、入力信号から所定しきい値Ｔｈ２以下の負極性の信号レベルを検出し、この検出結果をアップダウンカウンタ４１０に出力する。
【００２６】
アップダウンカウンタ４１０は、各電圧コンパレータ４０８，４０９それぞれの出力に基づいて、クロック信号入力端子４１１を介して入力されたクロックパルスを計数して、計数値のデジタルデータを角度情報としてサイン・コサイン関数回路４１２に出力する。なお、上記待機モード制御信号はカウント許可信号端子４１３を介してアップダウンカウンタ４１０に供給される。
サイン・コサイン関数回路４１２は、入力された角度情報をアナログ値に変換して電圧制御可変減衰器４０３，４０４を制御する。
【００２７】
次に、上記構成による切替動作について説明する。  
１系中間周波信号入力端子１１および２系中間周波信号入力端子２１の両系統の中間周波信号は全く同一の信号であり、基準入力端子１２および基準入力端子２２の基準信号周波数も同一であるものとする。
【００２８】
先ず、１系を選択している状態の動作を説明する。この状態は１系の送信機出力がアンテナに接続された状態であって、１系現用あるいは２系待機と表現する。
各々の系の送信装置はその出力レベルを同一に設定してあって、周波数変換回路１１２，１２２のローカル発信周波数を基準入力端子１２および２２からの同一基準周波数で制御しているので、各系の送信装置の出力周波数も同一にすることができる。
【００２９】
次に、位相関係について説明する。  
全角連続移相回路１１１は、機能オンに設定されている期間のみ移相量を制御することが可能であって、機能オフに設定すると直前の移相量を保持したまま可変機能を停止する機能オン・オフ制御端子を備えたものであって、待機モード制御信号が待機モード時のみ機能オンとするように制御する。
【００３０】
全角連続移相回路１１１に対する待機モード制御信号Ｉ５が「オフ」を示す場合、全角連続移相回路１１１は、系統間位相誤差情報Ｉ４の値にかかわらず固定移相量の移相回路として動作する。一方、全角連続移相回路１２１に対する待機モード制御信号Ｉ９が「オン」を示す場合、全角連続移相回路１２１は系統間位相誤差情報Ｉ８の信号電圧がほとんどゼロとなるまではその電圧極性に従ってその移相方向に移相量を増加させ続ける動作をする。
【００３１】
全角連続移相回路１１１，１２１は、９０度分配器４０２により直交して出力された信号を上記角度情報に相当するサイン・コサイン関係を保ちながらその係数を正負の極性を含んで制御することによって、系統間位相誤差情報に基づいてその移相量を±１８０度の範囲のいかなる値にも連続的に制御して設定することができる。つまり、入力信号に対し４象限で連続的に位相変化を与えることができる。
【００３２】
ここで、シームレス切替回路２００の動作について説明する。  
切替過渡期において、シームレス切替回路２００の出力に全く影響を与えないためには、その位相関係が正確に保たれている必要があり、その位相関係は上記シームレス切替回路２００に設けられた位相差検出回路２０８の出力による。
【００３３】
位相差検出回路２０８は位相検波器であって、乗算回路出力の直流成分を上記制御回路３００内部に設けられたＬＰＦ３０１により抽出するもので、ちょうど９０度の位相差において電圧ゼロを出力し、９０度より進むか遅れるかによってその極性が決定され、９０度からの差が大きくなると電圧も増加する。
【００３４】
こうして得られる位相差情報は、２系の全角連続移相回路１２１に入力され、自動的にその電圧がゼロになるように移相量を変化させつづけるように動作する。こうして、２系の送信装置の無線周波出力位相が１系との差９０度に保たれつづけるのである。９０度ハイブリッド回路を用いたシームレス切替回路３０４においては、ちょうど９０度位相差が切換過渡期の出力変動を皆無にする関係であり都合がよいのである。
【００３５】
最初に、１系の送信装置と２系の送信装置が共に起動状態であるシステム、いわゆるホット・スタンバイの場合についての切替動作について説明する。  
例えば操作スイッチの操作によって選択信号Ｐ２が入力されると、制御回路３００よりシームレス切替回路２００への切替制御信号が送出されて、シームレス切替回路２００の駆動部２０７の動作により移相器２０５，２０６それぞれの移相量が変位し、移相器２０５，２０６それぞれの移相量の変化につれて１系出力から徐々に２系出力へとアンテナへの出力端子３１へ出力される信号が移行する。
【００３６】
この時、制御回路３００から２系の全角連続移相回路１２１への待機モード制御信号Ｉ９は「オン」のままであって２系の送信無線周波信号位相を上記位相差検出回路２０８からの位相差情報のＤＣ（直流）成分をゼロにすべく２系の全角連続移相回路１２１が必要な移相量に制御され保持しつづけるので、シームレス切替回路２００のアンテナへの出力端子３１の信号には切替による影響を与えることが無く、切替完了後に駆動部２０７から出力される切替完了信号Ｉ３に応答して制御回路３００の切替シーケンス回路３０４が新たに待機モード制御信号Ｉ９を「オフ」、待機モード制御信号Ｉ５を「オン」に変更することで、新たに現用系に設定された２系送信装置の全角連続移相回路１２１の可変移相機能は停止して移相制御による位相変動の無い無線周波信号を送信することができる。逆の２系現用から１系への切替動作についても全く同様であるので説明を省略する。
【００３７】
次に、待機側の系の送信装置を停止状態で待機するコールド・スタンバイの切替動作の場合について説明する。１系現用状態から２系現用に切り替える場合、例えば操作スイッチの操作によって選択信号Ｐ２が出力されると、この時点以前では、切替シーケンス回路３０４の各出力は、  
待機モード制御信号Ｉ５＝「オフ」  
待機モード制御信号Ｉ９＝「オン」  
停止制御信号Ｉ６＝「オフ」  
停止制御信号Ｉ１０＝「オン」
切替シーケンス回路３０４への各入力は、  
出力監視信号Ｉ７＝「オン」（正常出力）  
出力監視信号Ｉ１１＝「オフ」（出力なし）  
切替完了信号Ｉ３＝「１系アンテナ側」
である。尚、位相同期状態情報Ｓ１は、２系の出力がオフのためゼロもしくは不定である。
【００３８】
選択信号Ｐ２が出力された時点で、シーケンス回路３０４の各出力は、  
待機モード制御信号Ｉ５＝「オフ」（不変）  
待機モード制御信号Ｉ９＝「オン」（不変）  
停止制御信号Ｉ６＝「オフ」（不変）  
停止制御信号Ｉ１０＝「オン」→「オフ」
切替シーケンス回路３０４への各入力は、  
出力監視信号Ｉ７＝「オン」（正常出力）  
出力監視信号Ｉ１１＝「オフ」（出力なし）→「オン」（正常出力）  
切替完了信号Ｉ３＝「１系アンテナ側」（不変）  
と一部変化する。
【００３９】
出力監視信号Ｉ１１の変化は停止制御信号Ｉ１０の変化に応答して２系送信装置の停止制御が解かれるからである。  
この結果、シームレス切替回路２００の位相差検出回路２０８は２系統のＲＦ信号間の位相差情報を出力し、制御回路３００へ位相差情報Ｉ１として入力されるので、位相同期監視回路３０３でその同期状態を監視すると共に、２系の全角連続移相回路１２１を制御して、系統間の位相差を管理した位相同期状態を実現する。
【００４０】
位相同期監視回路３０３では、位相同期状態であるか否かを判定し、この判定結果を位相同期状態情報Ｓ１として切替シーケンス回路３０４に出力するため、切替シーケンス回路３０４ではその情報によって同期状態に達したことを確認することができる。さらに、出力監視信号Ｉ７，Ｉ１１により双方が正規のレベルであることを確認することができる。
【００４１】
この位相同期状態であることと双方が正規のレベルであることを確認した後、制御回路３００はシームレス切替回路２００へ切替制御信号Ｉ２を送出することで、ホット・スタンバイの場合と同様に無停波切替が実現され、その後、切替完了時に、シームレス切替回路２００の駆動部２０７から切替完了信号Ｉ３を受信することにより２系アンテナに変化したことを確認する。この切替完了信号Ｉ３によって、新たに待機側となった１系送信装置へ停止制御信号Ｉ６を送出すると共に、現用系としての２系送信装置の待機モード制御信号Ｉ９を「オフ」に変更する。
【００４２】
この結果、シーケンス回路３０４の入出力信号は変化することになり、入出力シーケンス論理条件を備えたシーケンス回路を構成することにより、コールド・スタンバイの場合においても無停波の切替動作がなされるのである。２系から１系への切替の場合も全く同様に考えることができるので、その説明については省略する。
【００４３】
以上のように上記第１の実施形態では、系統選択信号が制御回路３００に入力された場合に、まず１系及び２系のうち待機状態にある系の送信装置を駆動し、位相差検出回路２０８にてこれら両系の信号間の位相差を検出し、制御回路３００にてこの検出結果に基づいて、送出状態にある系統の信号を基準に待機状態にある系統の信号の位相を合わせるように全角連続移相回路１１１，１２１の移相量を制御し、しかる後にシームレス切替回路２００の移相器２０５，２０６を制御して送出系から待機系に切り替えるようにしている。  
従って、デジタル放送信号、つまり無停波の系統切替を送出信号に乱れを生じさせることなくスムーズに行うことができ、しかも切替出力の信号品質を良好に維持することができる。
【００４４】
また、上記第１の実施形態によれば、全角連続移相回路１１１，１２１にエンドレス型移相器を用いているため、制御回路３００では、位相差検出回路２０８で検出された位相差が４象限のうちどの象限に該当するかを判定し、この判定結果に基づいて全角連続移相回路１１１，１２１に対する位相回転方向を決定するようにしている。従って、象限ごとに適切な位相合わせを行なうことができ、これにより位相制御処理を短時間で完了することができる。
【００４５】
さらに、上記第１の実施形態では、制御回路３００において、系統選択信号が入力されたときに、シーケンス論理として各系の送信出力レベルが規定値以上であるか否かまたは系統間で位相同期がとれているか否かを確認した上で、系統切替を行なうようにしているので、切替処理上の信頼性をさらに高めることができる。
【００４６】
（第２の実施形態）  
図４は、この発明の第２の実施形態において、制御回路３００の具体的構成を示す回路図である。なお、図４において、上記図２と同一部分には同一符号を付して詳細な説明を省略する。
【００４７】
切替シーケンス回路３０４の入力端子には、アラーム判定回路３０７，３０８が接続されている。アラーム判定回路３０７は、端子３０９を介して図示しない異常検出回路からの１系のアラーム信号Ｉ１２を受信し、その故障内容によって緊急切替情報Ｓ２を切替シーケンス回路３０４に出力する。
【００４８】
アラーム判定回路３０８は、端子３１０を介して図示しない異常検出回路からの２系のアラーム信号Ｉ１３を受信し、その故障内容によって緊急切替情報Ｓ３を切替シーケンス回路３０４に出力する。
切替シーケンス回路３０４は、上記緊急切替情報Ｓ２，Ｓ３を受信することにより、無条件に切替制御信号Ｉ２を送出するようにすることで、障害発生時のみ切替に要する時間を短縮することを実現できる。
【００４９】
次に、上記構成による処理動作について説明する。  
先の第１の実施形態では、停止状態で待機する場合、その系統切替時に完全な無停波を実現しようとして、切替シーケンス回路３０４のシーケンス論理に従って、双方の送信機出力レベルが正規のレベルに達し、かつ系統間の同期が達成されるまでの間を確認時間として、シームレス切替回路２００への切替制御信号の送出を禁止していたために切替に要する時間が確認時間の分だけ多く必要であった。そこで、本第２の実施形態では、送出系で障害が発生した場合に、自動的に正常な系へ切り替わり、これにより送出信号を継続して出力することができる。従って、障害発生時のみ切替に要する時間を短縮することができる。
【００５０】
（その他の実施形態）  
この発明は、上記各実施形態に限定されるものではない。例えば、位相差検出回路により検出される位相差がしきい値以下である場合には、各系の全角連続移相回路に対する移相量の制御を停止するようにしてもよい。このようにすれば、不要な位相合わせを防止することができ、これにより短時間で切替処理を完了することができる。また、系統間位相差管理の誤差を許容する動作を可能とすることができ、全角連続移相回路の可変動作を緩やかにすることも可能である。
その他、システムの構成や種類、全角連続移相回路の構成や種類、シームレス切替回路の構成、制御回路の構成、切替制御手順やシーケンス論理の内容等についても、この発明の要旨を逸脱しない範囲で種々変形して実施できる。
【図面の簡単な説明】
【００５１】
【図１】この発明の第１の実施形態として無停波切替による系統切替冗長システムを示すブロック図。
【図２】同第１の実施形態における制御回路の具体的構成を示す回路図。
【図３】同第１の実施形態における全角連続移相回路の具体的構成を示す回路図。
【図４】この発明の第２の実施形態に係る制御回路の具体的構成を示す回路図。
【符号の説明】
【００５２】
１１，２１…中間周波信号入力端子、１２，２２…基準入力端子、３１…出力端子、３２…ダミーロード端子、１１１，１２１…全角連続移相回路、１１２，１２２…周波数変換回路、１１３，１２３…電力増幅回路、２００…シームレス切替回路、２０１，２０３…方向性結合器、２０１，２０３…方向性結合器、２０２，２０４…３ｄＢハイブリイド回路、２０５，２０６…移相器、２０７…駆動部、２０８…位相差検出回路、３００…制御回路、３０１…ＬＰＦ、３０２…直流増幅器、３０３…位相同期監視回路、３０４…切替シーケンス回路、３０５，３０６…端子、３０７，３０８…アラーム判定回路、３０９，３１０…端子、４０１…信号入力端子、４０２…９０度分配器、４０３，４０４…電圧制御可変減衰器、４０５…合成回路、４０６…出力端子、４０７…系統間位相誤差情報端子、４０８，４０９…電圧コンパレータ、４１０…アップダウンカウンタ、４１１…クロック信号入力端子、４１２…サイン・コサイン関数回路、４１３…カウント許可信号端子。
【図１】
2005277475.tif 000003
【図２】
2005277475.tif 000004
【図３】
2005277475.tif 000005
【図４】
2005277475.tif 000006